(57)【要約】【課題】転写による塗装技術ではなく、塗料の塗膜層を乾燥させてシート状に形成することで、持ち運びが楽であり、しかも任意の形状で任意の部位に貼ることができて、塗装したと同様の仕上がりを得ることができる化粧用塗膜シートの提供。【解決手段】屈曲可能な基材の表面に形成された離型面２０に塗料を１層以上塗布して塗膜層１０を形成させ、この塗膜層１０を乾燥させて離型面２０から剥離させることで化粧用塗膜シート１を形成した。【選択図】      図１
2005021804.tif 000002
【特許請求の範囲】
【請求項１】
屈曲可能な基材の表面に形成された離型面に塗料を１層以上塗布して塗膜層を形成させ、この塗膜層を乾燥させて離型面から剥離させることで形成したことを特徴とする化粧用塗膜シート。
【請求項２】
屈曲可能な基材の表面が離型面に形成された剥離シートと、この剥離シートの離型面上に塗料を１層以上塗布して乾燥させた塗膜層とで形成され、前記塗膜層が剥離シートの離型面から剥離可能に形成されて、剥離シートと化粧用塗膜シートとに分離可能に形成されていることを特徴とするシート化粧材。
【請求項３】
屈曲可能な基材の表面に形成された離型面に塗料を１層以上塗布して塗膜層を形成させ、この塗膜層を乾燥させて離型面から剥離させることにより形成された化粧用塗膜シートを用いて、目地を介して隣り合うコンクリートブロックの壁面を連続状態に塗装するようにしたコンクリート壁面の塗装構造であって、
前記目地が、その目地面がコンクリート壁面とほぼ均一面になるように充填材により充填され、
前記化粧用塗膜シートが前記両コンクリート壁面に跨る状態で目地面の上に接着され、
前記化粧用塗膜シートと同一材料の塗料によって、前記化粧用塗膜シートを覆う状態にコンクリート壁面が塗装されていることを特徴とする化粧用塗膜シートを用いたコンクリート壁面の塗装構造。
【請求項４】
屈曲可能な基材の表面が離型面に形成された剥離シートと、この剥離シートの離型面上に塗料を１層以上塗布して乾燥させた塗膜層とで形成され、前記塗膜層が剥離シートの離型面から剥離可能に形成されて、剥離シートと化粧用塗膜シートとに分離可能に形成されているシート化粧材を用いて、目地を介して隣り合うコンクリートブロックの壁面を連続状態に塗装するようにしたコンクリート壁面の塗装方法であって、
前記目地を、その目地面がコンクリート壁面とほぼ均一面になるように充填材により充填させ、
前記シート化粧材を、その塗膜層の外面を接着面として前記両コンクリート壁面に跨る状態で目地面の上に接着させたのち、剥離シートを剥がして化粧用塗膜シートを露出させ、
前記化粧用塗膜シートと同一材料の塗料によって、前記化粧用塗膜シートを覆う状態にコンクリート壁面を塗装させることを特徴とするコンクリート壁面の塗装方法。
【発明の詳細な説明】
【０００１】
【発明の属する技術分野】
本発明は、塗料の塗膜層を乾燥させてシート状に形成し、これを化粧材として用いることができるようにした化粧用塗膜シート及びシート化粧材、並びにこれを用いて構成したコンクリート壁面の塗装構造及びコンクリート壁面の塗装方法に関する。
【０００２】
【従来の技術】
従来、コンクリート製品に塗装で着色する方法としては、コンクリート製品に塗料を刷毛又スプレー吹き付けによって塗布するようにしたものが一般的である。
この塗装方法では、塗装面以外の部分をマスキングする必要があるし、液状の塗料やスプレーガン等の塗装用具を現場に持ち込む必要があるなど、塗装作業に手間がかかるという問題がある。
【０００３】
又、従来、塗料による塗膜を転写して化粧を施す塗装方法が知られている（特許文献１参照）。
【０００４】
【特許文献１】
特開２０００−１９８１０４号公報
【０００５】
上記した特許文献１の塗装方法は、コンクリート製品を成型するための型枠の成型面に塗料を塗布して塗膜を形成し、その後、型枠内にコンクリートを打設してコンクリート製品を成型することにより、このコンクリート製品の外面に塗膜の転写による塗装面を形成する構成となっている。
【０００６】
この場合、型枠の成型面に直接に塗料を塗布して塗膜を形成するため、重量が重い型枠を塗装現場と組み立て現場との間で持ち運ぶ必要が生じるなど、作業に手間がかかる。
特に、型枠が硬質材料で形成されていると、コンクリート製品を型枠から脱型する際に、塗膜が型枠から離型しにくく、型枠に部分的に付着したまま残ってしまうことがあり、コンクリート製品への転写にムラが生じてしまうという問題をがあった。
【０００７】
又、コンクリート壁面の塗装方法おいて、目地を介して隣り合うコンクリートブロックの壁面を連続状態に塗装する場合、従来では、目地を充填材により充填させ、この上から塗料を単に塗布して塗装するのが一般的であった。
この方法は、塗料を単に塗布しただけのものであるため、どうしても目地が透けて見え、目地が目立って見栄えが悪くなるという問題があった。
また、目地を介してコンクリートブロックを隣り合わせるように施工したコンクリート壁面では、コンクリートブロックと目地充填剤との間にクラックが生じことが多く、このような場合、従来のように、単に塗料を塗布しただけでは、そのクラックが塗装の表面に現れてしまい、見栄えが悪くなるという問題があった。
【０００８】
【発明が解決しようとする課題】
本発明は、上述のような従来の問題点を解決するためになされたもので、転写による塗装技術ではなく、塗料の塗膜層を乾燥させてシート状に形成することで、持ち運びが楽であり、しかも任意の形状で任意の部位に貼ることができて、塗装したと同様の仕上がりを得ることができる化粧用塗膜シートを提供することを第１の課題としている。
【０００９】
加えて、前記化粧用塗膜シートに皺が生じたり、千切れたりすることなく良好な状態に保持させると共に、化粧用塗膜シートの貼り施工が簡単にできるようにしたシート化粧材を提供することを第２の課題としている。
【００１０】
また、目地を介して隣り合うコンクリートブロックの壁面を連続状態に塗装する場合に、前記化粧用塗膜シートを用いることで、目地が透けることなく、目地の目立ちを防止して良好な仕上がりを得ることができ、また、コンクリートブロックと目地充填剤との間に生じたクラックを隠すことができるコンクリート壁面の塗装構造を提供することを第３の課題としている。
【００１１】
加えて、化粧用塗膜シートの貼り施工が簡単にできるようにしたコンクリート壁面の塗装方法を提供することを第４の課題としている。
【００１２】
【課題を解決するための手段】
上記第１の課題を解決するために、本発明（請求項１）の化粧用塗膜シートは、
屈曲可能な基材の表面に形成された離型面に塗料を１層以上塗布して塗膜層を形成させ、この塗膜層を乾燥させて離型面から剥離させることで形成した。
【００１３】
上記第２の課題を解決するために、本発明（請求項２）のシート化粧材は、
屈曲可能な基材の表面が離型面に形成された剥離シートと、この剥離シートの離型面上に塗料を１層以上塗布して乾燥させた塗膜層とで形成され、前記塗膜層が剥離シートの離型面から剥離可能に形成されて、剥離シートと化粧用塗膜シートとに分離可能に形成されている構成とした。
【００１４】
上記第３の課題を解決するために、本発明（請求項３）のコンクリート壁面の塗装構造は、
屈曲可能な基材の表面に形成された離型面に塗料を１層以上塗布して塗膜層を形成させ、この塗膜層を乾燥させて離型面から剥離させることにより形成された化粧用塗膜シートを用いて、目地を介して隣り合うコンクリートブロックの壁面を連続状態に塗装するようにしたコンクリート壁面の塗装構造であって、
前記目地が、その目地面がコンクリート壁面とほぼ均一面になるように充填材により充填され、
前記化粧用塗膜シートが前記両コンクリート壁面に跨る状態で目地面の上に接着され、
前記化粧用塗膜シートと同一材料の塗料によって、前記化粧用塗膜シートを覆う状態にコンクリート壁面が塗装されている構成とした。
【００１５】
上記第４の課題を解決するために、本発明（請求項３）のコンクリート壁面の塗装方法は、
屈曲可能な基材の表面が離型面に形成された剥離シートと、この剥離シートの離型面上に塗料を１層以上塗布して乾燥させた塗膜層とで形成され、前記塗膜層が剥離シートの離型面から剥離可能に形成されて、剥離シートと化粧用塗膜シートとに分離可能に形成されているシート化粧材を用いて、目地を介して隣り合うコンクリートブロックの壁面を連続状態に塗装するようにしたコンクリート壁面の塗装方法であって、
前記目地を、その目地面がコンクリート壁面とほぼ均一面になるように充填材により充填させ、
前記シート化粧材を、その塗膜層の外面を接着面として前記両コンクリート壁面に跨る状態で目地面の上に接着させたのち、剥離シートを剥がして化粧用塗膜シートを露出させ、
前記化粧用塗膜シートと同一材料の塗料によって、前記化粧用塗膜シートを覆う状態にコンクリート壁面を塗装させる構成とした。
【００１６】
【発明の実施の形態】
図１は本発明の実施例である化粧用塗膜シートを示す斜視図である。
この化粧用塗膜シート１は、屈曲可能な基材の表面が離型面２０に形成された剥離シート２を用い、この剥離シート２の離型面２０に塗料を塗布して塗膜層１０を形成させ、この塗膜層１０を乾燥させて離型面２０から剥離させることで形成したものである。
前記剥離シート２は、柔軟性や弾力性によって屈曲可能な基材の表面が滑沢な離型面２０に形成されたもので、基材しては、紙、合成樹脂、金属等を用いることができる。
【００１７】
又、塗膜層１０は、前記剥離シート２の離型面２０上に塗料を吹き付け及びはけ塗りによって塗装させたのち乾燥させたもので、この塗膜層１０を剥離シート２の離型面２０から剥離させたものが化粧用塗膜シート１になる。
この化粧用塗膜シート１は、塗料による塗膜層１０であるため柔軟性を有しており、その原料となる塗料としては、例えば、アクリル系樹脂塗料（例えば、大日精化工業株式会社製：ローンコート、サンデーフェイス、ダイスコート等）、その他の樹脂塗料等を用いることができる。なお、塗料の色は任意であり、透明も含むものとする。
【００１８】
又、この化粧用塗膜シート１の形状（例えば、円形、角形、多角形、星形、テープ状等）も任意に決定できるもので、化粧用塗膜シート１が、剥離シート２の上に塗装された塗膜層１０によって形成されていることから、剥離シート２の形状によって、化粧用塗膜シート１の形状が決定される。
【００１９】
そして、使用に際しては、この化粧用塗膜シート１を、化粧対象物（例えば、コンクリート、木材、金属、ガラス等）に貼り付けるもので、この場合、化粧対象物又は化粧用塗膜シート１の剥離面１１（剥離シート２から剥がした面）又は非剥離面１２（塗膜層１０の外面）に接着剤を塗布して貼り付けることなる。
これにより、化粧用塗膜シート１を用いながら、塗装したと同様の仕上がりを得ることができる。
このとき、化粧用塗膜シート１の剥離面１１は、剥離シート２の離型面２０が滑沢な面であるため、光沢を持っており、従って、この剥離面１１を外面にして貼り付ければ、化粧用対象面を光沢を持たせた化粧面に仕上げることができる。
【００２０】
次に、図２は本発明の実施例であるシート化粧材を示す斜視図である。
このシート化粧材３は、剥離シート２と、この剥離シート２の離型面２０上に塗料を塗布して乾燥させた塗膜層１０とで形成され、塗膜層１０が剥離シート２の離型面２０から剥離可能に形成されて、剥離シート２と化粧用塗膜シート１とに分離可能に形成されたものである。
このように、化粧用塗膜シート１（塗膜層１０）が剥離シート２に付着したままであるため、化粧用塗膜シート１に皺が生じたり、千切れたりすることなく良好な状態に保持させることができる。
【００２１】
この実施例の塗膜層１０は、まず、剥離シート２の離型面２０上に透明コート塗料を塗布して第１塗膜層１０ａを形成させ、この上に白色塗料をまばら状に塗布してまばら塗膜層１０ｂを形成させ、その上から黒色塗料をベタ状に塗布して第２塗膜層１０ｃを形成させたものである。
このように形成させると、白色塗料によるまばら塗膜層１０ｂのまばら空間に黒色塗料による第２塗膜層１０ｃが入り込んで、白色塗料と黒色塗料が混在したまだら模様（大理石模様）を形成させることができる。
そして、このまだら模様は、透明な第１塗膜層１０ａによって覆われた状態になるため、この第１塗膜層１０ａを通してまだら模様を剥離面１１に現わすことができるし、まだら模様を第１塗膜層１０ａによって保護することができる。
【００２２】
シート化粧材３を使用するに際しては、塗膜層１０を剥離シート２から剥がすことによって、この塗膜層１０を化粧用塗膜シート１として剥離シート２から分離させ、この化粧用塗膜シート１を化粧対象物に貼り付けるものである。
この場合、剥離シート２から剥がす前において、剥離シート２を付けたままで塗膜層１０の外面（非剥離面１２）を接着剤により化粧対象物に貼り付け、その後に剥離シート２を剥がすようにすれば、化粧用塗膜シート１の貼り施工を簡単にさせながら、剥離面１１を外面にして化粧用塗膜シート１を貼り付けることができる。
これにより、化粧用対象面を光沢を持たせた化粧面に仕上げながら、化粧用塗膜シート１によって塗装したと同様の仕上がりを得ることができる。
【００２３】
次に、図３は化粧用塗膜シートを用いて塗装したコンクリート壁面の塗装構造を示す断面図である。
この塗装構造は、目地４を介して隣り合うコンクリートブロック５，５の壁面５０，５０を連続状態に塗装するようにもので、その塗装方法を説明する。
【００２４】
まず、目地４を、その目地面４０がコンクリート壁面５０とほぼ均一面になるように充填材６（モルタルや樹脂コーキング材）により充填させる。
次に、剥離シート２に塗膜層１０が付着したシート化粧材３を用い、剥離シート２を付けたままで塗膜層１０の外面（非剥離面１２）を接着剤により、前記両コンクリート壁面５０，５０に跨る状態で目地面４０の上に接着させる。
そして、剥離シート２を剥がして化粧用塗膜シート１を露出させたのち、化粧用塗膜シート１と同一材料の塗料によって、前記化粧用塗膜シート１を覆う状態にコンクリート壁面５０を塗装させて、化粧塗膜７を形成させるものである。
【００２５】
これにより、隣り合うコンクリートブロック５，５の壁面５０，５０及び目地面４０を、化粧塗膜７によって連続状態に塗装することができる。
特に、目地４の上が、化粧用塗膜シート１と化粧塗膜７によって二重に塗装されているため、目地４が透けることによる目地４の目立ちを防止でき、良好な仕上がりを得ることができる。
また、コンクリートブロック５と充填剤６との間にクラックが生じたとしても、シート化粧材３を、両コンクリート壁面５０，５０に跨る状態で目地面４０の上に接着させ、更にその上から化粧塗膜７を形成しているため、クラックをシート化粧材３と化粧塗膜７とで２重に覆うことができる。従って、クラックを隠すことができ、クラックが表面に現れることによる見栄えの悪さを解消できる。
又、化粧用塗膜シート１の塗料と化粧塗膜７の塗料が同一材料であるため、化粧塗膜７の乗りが良好になるし、また、剥離シート２に塗膜層１０が付着したシート化粧材３を用いて化粧用塗膜シート１を貼り付けるようにしたので、化粧用塗膜シート１の貼り施工を簡単に行なうことができる。
又、化粧塗膜７の形成法は、吹き付けだけではなく、別に化粧用塗膜シートを作りこれを貼り付けることも含む。この場合は化粧用塗膜シート１とその上に化粧用塗膜シートの２重貼りになる。
【００２６】
【発明の効果】
以上説明してきたように、本発明の化粧用塗膜シート（請求項１）にあっては、転写による塗装技術ではなく、塗料の塗膜層を乾燥させてシート状に形成したものであるため、持ち運びが楽であり、しかも任意の形状で任意の部位に貼ることができて、塗装したと同様の仕上がりを得ることができる。
【００２７】
又、本発明のシート化粧材（請求項２）にあっては、前記効果に加えて、化粧用塗膜シートに皺が生じたり、千切れたりすることなく良好な状態に保持させると共に、化粧用塗膜シートの貼り施工が簡単にできる。
【００２８】
又、本発明のコンクリート壁面の塗装構造（請求項３）にあっては、目地を介して隣り合うコンクリートブロックの壁面を連続状態に塗装する場合に、化粧用塗膜シートを目地の上に貼るようにしたので、目地が透けることなく、目地の目立ちを防止して良好な仕上がりを得ることができる。
また、コンクリートブロックと充填剤との間に生じたクラックを、シート化粧材と化粧塗膜とで２重に覆うことができるので、クラックを隠すことができ、クラックが表面に現れることによる見栄えの悪さを解消できる。。
【００２９】
又、本発明のコンクリート壁面の塗装方法（請求項４）にあっては、前記効果に加えて、シート化粧材を用いて化粧用塗膜シートを貼り付けるようにしたので、この化粧用塗膜シートの貼り施工が簡単にできる。
【図面の簡単な説明】
【図１】本発明の実施例である化粧用塗膜シートを示す斜視図である。
【図２】本発明の実施例であるシート化粧材を示す斜視図である。
【図３】化粧用塗膜シートを用いて塗装したコンクリート壁面の塗装構造を示す断面図である。
【符号の説明】
１  化粧用塗膜シート
１０  塗膜層
１０ａ  第１塗膜層
１０ｂ  まばら塗膜層
１０ｃ  第２塗膜層
１１  剥離面
１２  非剥離面
２  剥離シート
２０  離型面
３  シート化粧材
４  目地
４０  目地面
５  コンクリートブロック
５０  壁面
６  充填材
７  化粧塗膜
【図１】
2005021804.tif 000003
【図２】
2005021804.tif 000004
【図３】
2005021804.tif 000005